(57)【要約】【課題】バッテリが取り外された場合にも、防犯機能を活用することを可能とする。【解決手段】携帯電話機１は、主電源として機能するメインバッテリ２５と、予備電源として機能するサブバッテリ２６と、メインバッテリ２５の端子電圧を検出する電圧検出回路２２と、電圧検出回路２２によって検出された端子電圧が所定の閾値以下である場合に、メインバッテリ２５からサブバッテリ２６に切り換える電源切換回路２３と、を備えている。【選択図】図３
2007329808.tif 000002
【特許請求の範囲】
【請求項１】
通信装置と無線通信を介して通信可能に接続された携帯通信装置であって、主電源として機能する第１電源と、予備電源として機能する第２電源と、前記第１電源の端子電圧を検出する電圧検出手段と、前記電圧検出手段によって検出された端子電圧が所定の閾値以下である場合に、前記第１電源から前記第２電源に切り換える切換手段と、を備えることを特徴とする携帯通信装置。
【請求項２】
外部に対して音声を出力する音声出力手段と、外部から警報を出力する旨の操作入力を受け付ける受付手段と、前記受付手段によって、外部から警報を出力する旨の操作入力が受け付けられた場合に、前記音声出力手段に対して所定の音声を出力する旨の指示情報を出力する警報指示手段と、を備えることを特徴とする請求項１に記載の携帯通信装置。
【請求項３】
所定の条件を満たす場合に、電源をオフする旨の操作入力を無効とする電源維持手段を備え、前記受付手段は、電源をオフする旨の操作入力を受け付け、前記電源維持手段は、前記受付手段によって外部から警報を出力する旨の操作入力が受け付けられた状態で、前記受付手段によって電源をオフする旨の操作入力が受け付けられた場合に、電源をオフする旨の操作入力を無効とすることを特徴とする請求項２に記載の携帯通信装置。
【請求項４】
前記電源維持手段は、前記受付手段によって電源をオフする旨の操作入力が受け付けられた場合に、電源を所定期間だけオフ状態とし、その後オン状態とすることを特徴とする請求項３に記載の携帯通信装置。
【請求項５】
前記受付手段によって、外部から警報を出力する旨の操作入力が受け付けられていない場合に、前記切換手段の動作を禁止する切換禁止手段を備えることを特徴とする請求項２〜請求項４のいずれかに記載の携帯通信装置。
【請求項６】
ＧＰＳ機能を有する位置情報取得手段と、所定時間毎に、前記位置情報取得手段によって取得された位置情報を、前記通信装置に送信する位置送信手段と、を備え、前記警報指示手段は、前記受付手段によって、外部から警報を出力する旨の操作入力を受け付けられた場合に、前記位置送信手段に対して、所定時間毎に、位置情報を前記通信装置に送信する旨の指示情報を出力することを特徴とする請求項２〜請求項５のいずれかに記載の携帯通信装置。
【請求項７】
前記第１電源は、交換自在に配設され、前記第２電源は、交換困難に配設されていることを特徴とする請求項１〜請求項６のいずれかに記載の携帯通信装置。
【請求項８】
前記第２電源は、取り外し困難なカバーに覆われており、前記カバーによって外部から視認不能に配設されていることを特徴とする請求項７に記載の携帯通信装置。
【請求項９】
前記カバーは、装置本体にボルト止めされていることを特徴とする請求項８に記載の携帯通信装置。
【請求項１０】
前記第２電源は、前記第１電源を取り外し、且つ、前記カバーを取り外した場合に限って、外部から視認可能となることを特徴とする請求項８又は請求項９に記載の携帯通信装置。
【請求項１１】
電話機能を有する通話手段を備え、携帯電話機として機能することを特徴とする請求項１〜請求項１０のいずれかに記載の携帯通信装置。
【発明の詳細な説明】
【技術分野】
【０００１】
本発明は、通信装置と無線通信を介して通信可能に接続された携帯通信装置に関するものである。特に、ＧＰＳ（Ｇｌｏｂａｌ  Ｐｏｓｉｔｉｏｎｉｎｇ  Ｓｙｓｔｅｍ）機能を有する携帯電話機に関するものである。
【背景技術】
【０００２】
近年、多数の人が携帯している携帯電話機に防犯機能を備え、危機に遭遇した場合等に活用するための種々の技術が提案されている。例えば、携帯電話機本体に、番号ボタンに加えて、１１０番ボタンと１１９番ボタンを備え、且つ、ナビゲーション機能を内蔵する携帯電話機が提案されている（特許文献１参照）。
【０００３】
この携帯電話機によれば、１１０番ボタンと１１９番ボタンを備えているために、これらのボタンを押すことで警察署及び消防署へ緊急事態を連絡することができると共に、該ボタンを押すと同時に内蔵しているナビゲーション機能にて危機が発生している場所を知らせることができる。
【特許文献１】特開２００１−３１２１０６号公報
【発明の開示】
【発明が解決しようとする課題】
【０００４】
しかしながら、携帯電話機に配設されている電源は、交換可能なバッテリ（＝蓄電池）であり、加害者等がこのバッテリを取り外した場合には、その電力が供給されないため、携帯電話機が備える種々の防犯機能を活用することができないことになる。
【０００５】
本発明は、上記課題に鑑みてなされたものであって、バッテリが取り外された場合にも、防犯機能を活用することの可能な携帯通信装置を提供することを目的としている。
【課題を解決するための手段】
【０００６】
上記目的を達成するために請求項１に記載の携帯通信装置は、通信装置と無線通信を介して通信可能に接続された携帯通信装置であって、主電源として機能する第１電源と、予備電源として機能する第２電源と、前記第１電源の端子電圧を検出する電圧検出手段と、前記電圧検出手段によって検出された端子電圧が所定の閾値以下である場合に、前記第１電源から前記第２電源に切り換える切換手段と、を備えることを特徴としている。
【０００７】
請求項２に記載の携帯通信装置は、請求項１に記載の携帯通信装置であって、外部に対して音声を出力する音声出力手段と、外部から警報を出力する旨の操作入力を受け付ける受付手段と、前記受付手段によって、外部から警報を出力する旨の操作入力が受け付けられた場合に、前記音声出力手段に対して所定の音声を出力する旨の指示情報を出力する警報指示手段と、を備えることを特徴としている。
【０００８】
請求項３に記載の携帯通信装置は、請求項２に記載の携帯通信装置であって、所定の条件を満たす場合に、電源をオフする旨の操作入力を無効とする電源維持手段を備え、前記受付手段が、電源をオフする旨の操作入力を受け付け、前記電源維持手段が、前記受付手段によって警報を出力する旨の操作入力が受け付けられた状態で、前記受付手段によって電源をオフする旨の操作入力が受け付けられた場合に、電源をオフする旨の操作入力を無効とすることを特徴としている。
【０００９】
請求項４に記載の携帯通信装置は、請求項３に記載の携帯通信装置であって、前記電源維持手段が、前記受付手段によって電源をオフする旨の操作入力が受け付けられた場合に、電源を所定期間だけオフ状態とし、その後オン状態とすることを特徴としている。
【００１０】
請求項５に記載の携帯通信装置は、請求項２〜請求項４のいずれかに記載の携帯通信装置であって、前記受付手段によって、外部から警報を出力する旨の操作入力が受け付けられていない場合に、前記切換手段の動作を禁止する切換禁止手段を備えることを特徴としている。
【００１１】
請求項６に記載の携帯通信装置は、請求項２〜請求項５のいずれかに記載の携帯通信装置であって、ＧＰＳ機能を有する位置情報取得手段と、所定時間毎に、前記位置情報取得手段によって取得された位置情報を、前記通信装置に送信する位置送信手段と、を備え、前記警報指示手段が、前記受付手段によって、外部から警報を出力する旨の操作入力を受け付けられた場合に、前記位置送信手段に対して、所定時間毎に、位置情報を前記通信装置に送信する旨の指示情報を出力することを特徴としている。
【００１２】
請求項７に記載の携帯通信装置は、請求項１〜請求項６のいずれかに記載の携帯通信装置であって、前記第１電源が、交換自在に配設され、前記第２電源が、交換困難に配設されていることを特徴としている。
【００１３】
請求項８に記載の画像読取装置は、請求項７に記載の携帯通信装置であって、前記第２電源が、取り外し困難なカバーに覆われており、前記カバーによって外部から視認不能に配設されていることを特徴としている。
【００１４】
請求項９に記載の携帯通信装置は、請求項８に記載の携帯通信装置であって、前記カバーが、装置本体にボルト止めされていることを特徴としている。
【００１５】
請求項１０に記載の携帯通信装置は、請求項８又は請求項９に記載の携帯通信装置であって、前記第２電源が、前記第１電源を取り外し、且つ、前記カバーを取り外した場合に限って、外部から視認可能となることを特徴としている。
【００１６】
請求項１１に記載の携帯通信装置は、請求項１〜請求項１０のいずれかに記載の携帯通信装置であって、電話機能を有する通話手段を備え、携帯電話機として機能することを特徴としている。
【発明の効果】
【００１７】
請求項１に記載の携帯通信装置によれば、主電源として機能する第１電源の端子電圧が所定の閾値以下である場合に、第１電源から、予備電源として機能する第２電源に切り換えられるため、第１電源（＝バッテリ）が取り外された場合にも、第２電源から電力が供給されるので、防犯機能を活用することができる。
【００１８】
請求項２に記載の携帯通信装置によれば、外部から警報を出力する旨の操作入力を受け付けられた場合に、所定の音声が出力されるため、周囲の人々に非常事態の発生を報知することができると共に、犯人等を威嚇することができる。
【００１９】
請求項３に記載の携帯通信装置によれば、警報を出力する旨の操作入力が受け付けられた状態で、電源をオフする旨の操作入力が受け付けられた場合に、電源をオフする旨の操作入力が無効とされるため、電源をオフする旨の操作入力がされた場合にも、防犯機能を活用することができる。
【００２０】
請求項４に記載の携帯通信装置によれば、電源をオフする旨の操作入力が受け付けられた場合に、電源が所定期間だけオフ状態とされ、その後オン状態とされるため、犯人等は、電源をオフする旨の操作入力が有効であったと安心するため、更に防犯機能の効果を高めることができる。
【００２１】
請求項５に記載の携帯通信装置によれば、外部から警報を出力する旨の操作入力が受け付けられていない場合には、第１電源の端子電圧が所定の閾値以下であっても、第１電源から、予備電源として機能する第２電源に切り換えられる動作が禁止されるため、予備電源として機能する第２電源の消耗を抑制することができる。
【００２２】
すなわち、外部から警報を出力する旨の操作入力が受け付けられた場合に限って、第２電源からの電力を使用可能とする（＝外部から警報を出力する旨の操作入力が受け付けられていない場合には、第２電源からの電力を使用させない）ことにより、予備電源として機能する第２電源の消耗を抑制することができるのである。
【００２３】
請求項６に記載の携帯通信装置によれば、外部から警報を出力する旨の操作入力を受け付けられた場合に、所定時間毎に位置情報が通信装置に送信されるため、該携帯通信装置の所在を通信装置に報知することができる。
【００２４】
請求項７に記載の携帯通信装置によれば、第１電源が交換自在に配設されているため、第１電源が寿命となった場合にも交換することができる。また、第２電源が交換困難に配設されているため、犯人等により第２電源が取り外される可能性を低減することができる。
【００２５】
請求項８に記載の携帯通信装置によれば、第２電源が、取り外し困難なカバーに覆われており、カバーによって外部から視認不能に配設されているため、犯人等により第２電源が取り外される可能性を更に低減することができる。
【００２６】
請求項９に記載の携帯通信装置によれば、カバーが、装置本体にボルト止めされているため、犯人等により第２電源が取り外される可能性を更に低減することができる。
【００２７】
請求項１０に記載の携帯通信装置によれば、第２電源が、第１電源を取り外し、且つ、カバーを取り外した場合に限って、外部から視認可能となるため、犯人等により第２電源が取り外される可能性を更に低減することができる。
【００２８】
請求項１１に記載の携帯通信装置によれば、携帯電話機として機能するため、第１電源（＝バッテリ）が取り外された場合にも、防犯機能を活用することができる携帯電話機を実現することができる。
【発明を実施するための最良の形態】
【００２９】
以下、本発明に係る携帯通信装置の一例について図面を参照して説明する。図１は、本発明に係る携帯電話機の外観の一例を示す斜視図である。（ａ）は、オープン状態を示し、（ｂ）は、折りたたまれた状態を示している。なお、ここでは、携帯通信装置が、折りたたみ型の携帯電話機である場合について説明するが、スライド型等のその他の型の携帯電話機である形態でもよいし、通信装置と無線通信を介して通信可能に接続されたＰＤＡ（Ｐｅｒｓｏｎａｌ  Ｄｉｇｉｔａｌ  Ａｓｓｉｓｔａｎｔｓ）等の他の形態の携帯通信装置でもよい。図１に示すように、携帯電話機１は、入力部１１、ディスプレイ１２、マイクロフォン１３、スピーカ１４、アンテナ１５、サブディスプレイ１６、及びブザー１７を備えている。
【００３０】
入力部１１（警報指示手段の一部に相当する）は、外部からの警報を出力する旨の操作入力を含む種々の操作入力を受け付けるものであって、電源キー１１１、テンキー１１２、通話キー１１３、及び、クリアキー１１４を備えている。電源キー１１１は、電源をオンオフする場合及びオフフックする場合（＝通話を終了する場合）に押下されるキーである。テンキー１１２は、数字等の文字を入力する場合の押下されるキーであって、０〜９の数字、「＊」記号、「＃」記号を入力可能に構成されている。通話キー１１３は、オンフック（＝通話を開始する場合）する場合に押下されるキーである。
【００３１】
ディスプレイ１２は、ＬＣＤ（Ｌｉｑｕｉｄ  Ｃｒｙｓｔａｌ  Ｄｉｓｐｌａｙ）等からなり、操作情報、ガイダンス情報、設定情報等の種々の情報を外部から視認可能に表示するものである。マイクロフォン１３は、外部からの音声を受け付けるものであって、通話機能においては、ユーザの声等を受け付けるものである。スピーカ１４は、種々の音声を出力するものであって、通話機能においては、携帯電話機１と中継局を介して通信可能に接続された他の携帯電話機（又は固定電話）等のユーザの発する音声等を出力するものである。
【００３２】
アンテナ１５は、ＧＰＳ衛星からのＧＰＳ信号を受信すると共に、他の携帯電話機（又は固定電話）等から発せられた音声、又は、文字情報等の送信信号を受信するものである。サブディスプレイ１６は、背面側に配設されたＬＣＤ等からなり、（ｂ）に示すように、折りたたまれた状態で時刻情報等を外部から視認可能に表示するものである。ブザー１７（音声出力手段の一部に相当する）は、背面側に配設され、外部に対して音声（＝ブザー音）を出力するものである。
【００３３】
図２は、携帯電話機１におけるバッテリの配設位置の一例を示す図である。（ａ）は、背面側からの斜視図であり、（ｂ）は、側面図である。携帯電話機１は、メインバッテリ２５及びサブバッテリ２６を備えている。メインバッテリ２５（第１電源に相当する）は、主電源として機能するものである。サブバッテリ２６（第２電源に相当する）は、予備電源として機能するものである。
【００３４】
メインバッテリ２５は、直方体状のバッテリであって、背面側から交換自在に配設されている。サブバッテリ２６は、（ｂ）に示すように、背面側から見て、メインバッテリ２５の奥側に配設された円筒状のバッテリであって、取り外し困難なカバー（図示省略）に覆われており、このカバーによって外部から視認不能に配設されている。また、このカバーは、装置本体にボルト止めされている。すなわち、サブバッテリ２６は、メインバッテリ２５を取り外し、且つ、カバーを取り外した場合に限って、外部から視認可能となるものである。
【００３５】
図３は、携帯電話機１の電気的構成の一例を示すブロック図である。携帯電話機１は、図２に示すメインバッテリ２５及びサブバッテリ２６に加えて、ＧＰＳ通信部１５１、電話通信部１５２、制御部２１、電圧検出回路２２、電源切換回路２３、電源回路２４、及び、入出力切換回路２７を備えている。
【００３６】
ＧＰＳ通信部１５１（位置情報取得手段の一部に相当する）は、アンテナ１５を介して、ＧＰＳ衛星と通信し、位置情報を取得するものである。電話通信部１５２は、アンテナ１５を介して、他の携帯電話機（又は固定電話）等から発せられた音声、又は、文字情報等の送信信号を受信するものである。
【００３７】
制御部２１は、図略のＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等からなり、携帯電話機１全体の動作を制御するものである。ここでは、制御部２１は、外部から警報を出力する旨の操作入力を受け付けられた場合に、図１に示すブザー１７に対して所定の音声を出力する旨の指示情報等を出力すると共に、メインバッテリ２５からサブバッテリ２６に切り換え可能とするものである。
【００３８】
電圧検出回路２２（電圧検出手段に相当する）は、メインバッテリ２５の端子電圧を検出するものである。なお、ここでは、便宜上、電圧検出回路２２によって検出された端子電圧が所定の閾値（例えば、３Ｖ）以下である場合として、電源をＯＦＦする操作入力がされた場合、メインバッテリ２５が取り外された場合について説明する。
【００３９】
電源切換回路２３（切換手段に相当する）は、例えば、トランジスタスイッチ等からなり、電圧検出回路２２によって検出された端子電圧が所定の閾値（例えば、３Ｖ）以下である場合に、メインバッテリ２５からサブバッテリ２６に切り換えるものである。ただし、電源切換回路２３は、制御部２１（後述する禁止部２１６）によって、動作が禁止されている場合には、その指示に従うものである。すなわち、電源切換回路２３は、制御部２１（後述する禁止部２１６）によって、動作が禁止されている場合には、電圧検出回路２２によって検出された端子電圧が所定の閾値以下であっても、メインバッテリ２５からサブバッテリ２６に切り換える動作は行わないものである。
【００４０】
電源回路２４は、逆流防止用の保護ダイオード、メインバッテリ２５及びサブバッテリ２６へ一定の電圧を印加するための抵抗、ダイオード等からなり、商用電源からの電力によりメインバッテリ２５及びサブバッテリ２６を充電するものである。
【００４１】
入出力切換回路２７は、マイクロフォン１３、スピーカ１４、及び、ブザー１７に対して、時分割的に、マイクロフォン１３からの入力信号を受け付けて制御部２１へ伝送し、制御部２１からの指示に応じてスピーカ１４及びブザー１７に対して出力信号を出力するものである。
【００４２】
図４は、制御部２１の機能構成の一例を示す構成図である。制御部２１は、機能的に、受付部２１１、警報指示部２１２、音声出力部２１３、位置情報取得部２１４、位置情報送信部２１５、禁止部２１６、及び、電源維持部２１７を備えている。ここでは、制御部２１のＣＰＵが、ＲＯＭ等に予め格納されたプログラムを読み出して実行することにより、受付部２１１、警報指示部２１２、音声出力部２１３、位置情報取得部２１４、位置情報送信部２１５、禁止部２１６、及び、電源維持部２１７等の機能部として機能するものである。
【００４３】
また、ＲＡＭ、ＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４４】
受付部２１１（受付手段に相当する）は、外部から警報を出力する旨の操作入力を受け付けるものである。ここでは、例えば、受付部２１１は、警報を出力する旨の操作入力として、図１に示す入力部１１に配設されたテンキー１１２の内、「＃」記号に対応するキーが所定時間（例えば、２秒間）以上連続して押下された（いわゆる「長押し」がされた）ことを受け付けるものである。また、受付部２１１は、電源をＯＦＦする操作入力（例えば、図１に示す入力部１１に配設された電源キー１１１の押下）を受け付けるものである。
【００４５】
警報指示部２１２（警報指示手段に相当する）は、受付部２１１によって警報を出力する旨の操作入力が受け付けられた場合に、音声出力部２１３に対して所定の音声（ここでは、ブザー音）を出力する旨の指示情報を出力するものである。また、警報指示部２１２は、受付部２１１によって警報を出力する旨の操作入力を受け付けられた場合に、位置情報送信部２１５に対して、所定時間毎（例えば、１０秒毎）に、位置情報を通信装置（例えば、保護者の携帯電話機）に送信する旨の指示情報を出力するものである。
【００４６】
音声出力部２１３（音声出力手段の一部に相当する）は、外部に対して音声を出力するものであって、ここでは、図１に示すブザー１７を介してブザー音を出力するものである。
【００４７】
位置情報取得部２１４（位置情報取得手段に相当する）は、ＧＰＳ機能を有するものであって、図３に示すＧＰＳ通信部１５１を介して位置情報を取得するものである。
【００４８】
位置情報送信部２１５（位置送信手段に相当する）は、所定時間毎（例えば、１０秒毎）に、位置情報取得部２１４によって取得された位置情報を、通信装置（例えば、保護者の携帯電話機）に送信するものである。
【００４９】
禁止部２１６（禁止手段に相当する）は、受付部２１１によって警報を出力する旨の操作入力が受け付けられていない場合に、図３に示す電源切換回路２３の動作を禁止するものである。すなわち、禁止部２１６は、受付部２１１によって警報を出力する旨の操作入力が受け付けられた場合に限って、図３に示すサブバッテリ２６からの電力を使用可能とする（＝受付部２１１によって警報を出力する旨の操作入力が受け付けられていない場合には、サブバッテリ２６からの電力を使用させない）ものである。
【００５０】
電源維持部２１７（電源維持手段に相当する）は、所定の条件を満たす場合に、電源をオフする旨の操作入力を無効とするものである。より具体的には、電源維持部２１７は、受付部２１１によって警報を出力する旨の操作入力が受け付けられた状態で、受付部２１１によって電源をオフする旨の操作入力が受け付けられた場合に、電源を所定期間（例えば、１分）だけオフ状態とし、その後オン状態とすることにより、オフする旨の操作入力を無効とするものである。
【００５１】
図５は、本発明に係る携帯電話機１（主に制御部２１）の動作の一例を説明するフローチャートである。まず、禁止部２１６によって、受付部２１１により警報を出力する旨の操作入力が受け付けられたか否かの判定が行われる（Ｓ１０１）。警報を出力する旨の操作入力が受け付けられていないと判定された場合（Ｓ１０１でＮＯ）には、処理が待機状態とされる。
【００５２】
警報を出力する旨の操作入力が受け付けられたと判定された場合（Ｓ１０１でＹＥＳ）には、警報指示部２１２によって、音声出力部２１３を介してブザー音が出力される（Ｓ１０３）。そして、位置情報送信部２１５によって、位置情報取得部２１４によって取得された位置情報が送信される（Ｓ１０５）。次に、電源維持部２１７によって、受付部２１１により電源をオフする旨の操作入力が受け付けられたか否かが判定される（Ｓ１０７）。
【００５３】
電源をオフする旨の操作入力が受け付けられていないと判定された場合（Ｓ１０７でＮＯ）には、電源切換回路２３によって、電圧検出回路２２によって検出された端子電圧が所定の閾値以下であるか否かの判定（ここでは、実質上「メインバッテリ２５が取り外されたか否か」の判定となる）が行われる（Ｓ１０９）。端子電圧が所定の閾値（例えば、３Ｖ）以下ではないと判定された場合（Ｓ１０９でＮＯ）には、処理がステップＳ１０３に戻され、ステップＳ１０３以降の処理が繰り返し実行される。端子電圧が所定の閾値（例えば、３Ｖ）以下であると判定された場合（Ｓ１０９でＹＥＳ）には、電源切換回路２３によって、メインバッテリ２５からサブバッテリ２６に切り換えられ（Ｓ１１１）、処理がステップＳ１０３に戻され、ステップＳ１０３以降の処理が繰り返し実行される。
【００５４】
ステップ１０７において、電源をオフする旨の操作入力が受け付けられたと判定された場合（Ｓ１０７でＹＥＳ）には、電源維持部２１７によって、電源がオフ状態とされ（Ｓ１１３）、計時が開始される（Ｓ１１５）。そして、電源維持部２１７によって、所定期間（例えば、１分）が経過したか否かの判定が行われる（Ｓ１１７）。所定期間が経過していないと判定された場合（Ｓ１１７でＮＯ）には、処理が待機状態とされる。所定期間が経過したと判定された場合（Ｓ１１７でＹＥＳ）には、電源維持部２１７によって、電源がオン状態とされ（Ｓ１１９）、処理がステップ１０３に戻され、ステップＳ１０３以降の処理が繰り返し実行される。
【００５５】
このようにして、主電源として機能するメインバッテリ２５の端子電圧が所定の閾値以下である場合に、メインバッテリ２５から、予備電源として機能するサブバッテリ２６に切り換えられるため、メインバッテリ２５が取り外された場合にも、サブバッテリ２６から電力が供給されるので、防犯機能を活用することができる。
【００５６】
また、外部から警報を出力する旨の操作入力を受け付けられた場合に、所定の音声が出力されるため、周囲の人々に非常事態の発生を報知することができると共に、犯人等を威嚇することができる。
【００５７】
更に、警報を出力する旨の操作入力が受け付けられた状態で、電源をオフする旨の操作入力が受け付けられた場合に、電源をオフする旨の操作入力が無効とされるため、電源をオフする旨の操作入力がされた場合にも、防犯機能を活用することができる。
【００５８】
加えて、電源をオフする旨の操作入力が受け付けられた場合に、電源が所定期間だけオフ状態とされ、その後オン状態とされるため、犯人等は、電源をオフする旨の操作入力が有効であったと安心するため、更に防犯機能の効果を高めることができる。
【００５９】
また、外部から警報を出力する旨の操作入力が受け付けられていない場合には、メインバッテリ２５の端子電圧が所定の閾値以下であっても、メインバッテリ２５から、予備電源として機能するサブバッテリ２６に切り換えられる動作が禁止されるため、予備電源として機能するサブバッテリ２６の消耗を抑制することができる。
【００６０】
更に、外部から警報を出力する旨の操作入力を受け付けられた場合に、所定時間毎に位置情報が通信装置（例えば、保護者の携帯電話機等）に送信されるため、携帯電話機１の所在を通信装置に報知することができる。
【００６１】
加えて、メインバッテリ２５が交換自在に配設されているため、メインバッテリ２５が寿命となった場合にも交換することができる。また、サブバッテリ２６が交換困難に配設されているため、犯人等によりサブバッテリ２６が取り外される可能性を低減することができる。
【００６２】
また、サブバッテリ２６が、取り外し困難なカバーに覆われており、カバーによって外部から視認不能に配設されているため、犯人等によりサブバッテリ２６が取り外される可能性を更に低減することができる。
【００６３】
更に、サブバッテリ２６のカバーが、装置本体にボルト止めされているため、犯人等によりサブバッテリ２６が取り外される可能性を更に低減することができる。
【００６４】
なお、本発明は、以下の形態にも適用可能である。
【００６５】
（Ａ）本実施形態では、携帯通信装置が、折りたたみ型の携帯電話機である場合について説明するが、スライド型等のその他の型の携帯電話機である形態でもよいし、通信装置と無線通信を介して通信可能に接続されたＰＤＡ等の他の形態の携帯通信装置でもよい。
【００６６】
（Ｂ）本実施形態では、第２電源が蓄電池（＝バッテリ）である場合について説明したが、第２電源が乾電池である形態でもよい。この場合には、第２電源を小型化することが可能となると共に、自然放電による消耗も抑制できる。
【００６７】
（Ｃ）本実施形態では、携帯電話機１が、ＧＰＳ機能（ＧＰＳ通信部１５１等）及び音声出力機能（ブザー１７等）を有する場合について説明したが、ＧＰＳ機能及び音声出力機能の少なくとも一方を備える形態でもよい。この場合には、携帯電話機１が簡略化され製造コストを削減することができる。
【００６８】
（Ｄ）本実施形態では、電源をＯＦＦする操作入力がされた時、又は、メインバッテリ２５が取り外された時に、電源維持部２１７又は電源切換回路２３によって、携帯電話機１の電源が維持される場合について説明したが、電源が維持されることに加えて、図１に示すディスプレイ１２及びサブディスプレイ１６への電力の供給は行わない形態でもよい。この場合には、犯人等は、電源をオフする旨の操作入力等が有効であったと安心するため、更に防犯機能の効果を高めることができる。
【００６９】
（Ｅ）本実施形態では、電源切換回路２３が、電圧検出回路２２によって検出された端子電圧が所定の閾値以下である時に、メインバッテリ２５からサブバッテリ２６に切り換える場合について説明したが、電源切換回路２３が、電圧検出回路２２によって検出された端子電圧が所定の閾値以下である時に、所定時間経過後に、メインバッテリ２５からサブバッテリ２６に切り換える形態でもよい。この場合には、犯人等は、メインバッテリ２５を取り外したことが有効であったと安心するため、更に防犯機能の効果を高めることができる。
【図面の簡単な説明】
【００７０】
【図１】は、本発明に係る携帯電話機の外観の一例を示す斜視図である。
【図２】は、携帯電話機におけるバッテリの配設位置の一例を示す図である。
【図３】は、携帯電話機の電気的構成の一例を示すブロック図である。
【図４】は、制御部の機能構成の一例を示す構成図である。
【図５】は、本発明に係る携帯電話機（主に制御部）の動作の一例を説明するフローチャートである。
【符号の説明】
【００７１】
１    携帯電話機（携帯通信装置）
１１    入力部（受付手段の一部）
１２    ディスプレイ
１３    マイクロフォン
１４    スピーカ
１５    アンテナ
１６    サブディスプレイ
１７    ブザー（音声出力手段の一部）
２１    制御部
２１１    受付部（受付手段の一部）
２１２    警報指示部（警報指示手段）
２１３    音声出力部（音声出力手段の一部）
２１４    位置情報取得部（位置情報取得手段）
２１５    位置情報送信部（位置情報送信手段）
２１６    禁止部（禁止手段）
２１７    電源維持部（電源維持手段）
２２    電圧検出回路（電圧検出手段）
２３    電源切換回路（切換手段）
２４    電源回路
２５    メインバッテリ（第１電源）
２６    サブバッテリ（第２電源）
【図１】
2007329808.tif 000003
【図２】
2007329808.tif 000004
【図３】
2007329808.tif 000005
【図４】
2007329808.tif 000006
【図５】
2007329808.tif 000007